(57)【要約】      （修正有）【課題】光コネクタプラグと光コネクタアダプタ側とにそれぞれ相互に嵌合させることにより自動的に開閉するシャッタ機構を備え、その他の場合には開閉しない機構とし、安全性と防塵性に優れたアダプタとプラグとから構成される光コネクタを提供する。【解決手段】光ファイバの光軸を開閉するプラグ側シャッタ１２０を備えた光コネクタプラグ１００と、光ファイバの光軸を開閉するアダプタ側シャッタ２２０を備えた光コネクタアダプタ２００とにより構成され、光コネクタプラグ１００を光コネクタアダプタ２００に嵌合するとプラグ側シャッタ１２０が光コネクタアダプタ２００に当接することにより押圧されて回転し、その回転動力が回転伝達手段１２６によりアダプタ側シャッタ２２０に伝達されることによってアダプタ側シャッタ２２０が回転し、それによりプラグ側シャッタ１２０及びアダプタ側シャッタ２２０がそれぞれ開口するようにした。【選択図】  図１
2004318005.tif 000002
【特許請求の範囲】
【請求項１】
押圧することにより回転し、それによって開口部の位置が移動して当該光コネクタプラグに内装された光ファイバの光軸を開閉するプラグ側シャッタを備えた光コネクタプラグと、
前記プラグ側シャッタの回転動力を伝達する回転伝達手段によって回転することにより開口部の位置が移動して当該光コネクタアダプタに内装された光ファイバの光軸を開閉するアダプタ側シャッタを備えた光コネクタアダプタを備えて構成され、
前記光コネクタプラグを前記光コネクタアダプタに嵌合すると前記プラグ側シャッタが前記光コネクタアダプタに当接することにより押圧されて回転し、その回転動力が前記回転伝達手段により前記アダプタ側シャッタに伝達されることによって前記アダプタ側シャッタが回転し、それにより前記プラグ側シャッタ及び前記アダプタ側シャッタがそれぞれ開口するようにされたことを特徴とするシャッタ付き光コネクタ。
【請求項２】
請求項１に記載のシャッタ付き光コネクタにおいて、
前記光コネクタプラグは、前記プラグ側シャッタを押圧すると当該プラグ側シャッタを案内して回転させるプラグ側シャッタ回転ガイド溝と、当該光コネクタプラグ単体では前記プラグ側シャッタを閉口状態とする第一のシャッタ閉口手段とを備え、
前記光コネクタアダプタは、前記アダプタ側シャッタを押圧すると当該アダプタ側シャッタを案内して回転させるアダプタ側シャッタ回転ガイド溝と、当該光コネクタアダプタ単体では前記アダプタ側シャッタを閉口状態とする第二のシャッタ閉口手段とを備え、
前記光コネクタプラグを前記光コネクタアダプタに嵌合させると、前記プラグ側シャッタ回転ガイド溝に沿って前記プラグ側シャッタが回転すると共に、前記プラグ側シャッタの回転が前記回転伝達手段により前記アダプタ側シャッタに伝達されると当該アダプタ側シャッタが前記アダプタ側シャッタ回転ガイド溝に沿って回転することによって、前記プラグ側シャッタ及び前記アダプタ側シャッタが開口され、
前記光コネクタプラグを前記光コネクタアダプタから抜脱すると、前記第一のシャッタ閉口手段により前記プラグ側シャッタが閉口状態とされると共に、前記第二のシャッタ閉口手段により前記アダプタ側シャッタが閉口状態とされたことを特徴とするシャッタ付き光コネクタ。
【請求項３】
請求項２に記載のシャッタ付き光コネクタにおいて、
前記プラグ側シャッタ回転ガイド溝は、前記プラグ本体の外周面に、その円周方向に沿って所定の角度を有して斜めに穿設された傾斜溝部と挿抜方向に沿って直線状に穿設された直線溝部を備えて形成され、
前記プラグ側シャッタを押圧することにより当該プラグ側シャッタに設けられたプラグガイド凸部が前記プラグ側シャッタ回転ガイド溝内に係合した状態で前記傾斜溝部を移動して前記プラグ側シャッタが回転し、前記プラグガイド凸部が前記直線溝部内に進入すると前記プラグ側シャッタが後退して前記光コネクタプラグ内に内装された光ファイバを保持するフェルールが突出するように構成されていることを特徴とするシャッタ付き光コネクタ。
【請求項４】
請求項２に記載のシャッタ付き光コネクタにおいて、
前記アダプタ側シャッタ回転ガイド溝は、前記アダプタ本体の外周面の円周方向に沿って穿設された第一の溝部と挿抜方向に沿って直線状に穿設された第二の溝部とを備えて形成され、
前記プラグ側シャッタが回転すると前記回転伝達手段によりそれに連動して当該アダプタ側シャッタに設けられた突起部が前記アダプタ側シャッタ回転ガイド溝内に係合した状態で前記第一の溝部を移動して前記プラグ側シャッタが回転し、前記突起部が第二の溝部内に進入すると前記アダプタ側シャッタが後退して前記光コネクタアダプタ内に内設されたスリーブが突出するように構成されていることを特徴とするシャッタ付き光コネクタ。
【請求項５】
請求項２〜４のいずれか１項に記載のシャッタ付き光コネクタにおいて、
前記第一のシャッタ閉口手段は、前記光コネクタプラグと前記光コネクタアダプタとが嵌合して前記プラグ側シャッタを開口状態とすると挿入方向に圧縮され、前記光コネクタプラグを前記光コネクタアダプタから抜脱すると、圧縮による圧縮反力で前記プラグ側シャッタを閉口状態とする弾性部材を備えて構成されていることを特徴とするシャッタ付き光コネクタ。
【請求項６】
請求項２〜４のいずれか１項に記載のシャッタ付き光コネクタにおいて、
前記第二のシャッタ閉口手段は、前記光コネクタプラグと前記光コネクタアダプタとが嵌合して前記アダプタ側シャッタを開口状態とすると円周方向及び挿入方向に圧縮され、前記光コネクタプラグを前記光コネクタアダプタから抜脱すると、圧縮による圧縮反力で前記アダプタ側シャッタを閉口状態とする弾性部材を備えて構成されていることを特徴とするシャッタ付き光コネクタ。
【発明の詳細な説明】
【０００１】
【発明の属する技術分野】
本発明は、光コネクタに関し、さらに詳細には、光コネクタ用アダプタとプラグの双方に相互に嵌合させたときに自動的に開口し、単独では開口しないシャッタを備えたシャッタ付き光コネクタに関する。
【０００２】
【従来の技術】
近年、通信技術の発展は著しく、ＩＴ産業における企業間の競争が激化している。従来、一般の電話回線を用いて、家庭用電話と同周波数帯域でのデータ通信がおこなわれていたが、さらに高速の通信速度が要求されるようになると、より高い周波数帯域を利用したＡＤＳＬ等が出現し広く普及している。しかし、ＩＴ関連企業における現在及び将来の通信ネットワーク構想として、インターネットテレビやＩＰ電話等があり、これらのより大きなデータ通信をおこなうには、従来の電話回線を用いた通信網では対応できず、一般の電話回線を用いた通信よりも大きなデータ通信が行える光ファイバを利用した通信網が開発及び実用化され、今後急速に普及するものと予想される。
【０００３】
しかし、その反面、光ファイバで伝達される光エネルギーは大きく、その光を直視すると、眼の網膜に悪影響を及ぼし、時には失明する危険性もある。今後、このような光ファイバが一般家庭に普及した場合に、危険意識が低い子供がいじってプラグを覗き込んで光を直視する可能性もあり、どのようにして安全性を保障するかといった技術的な問題がある。
【０００４】
そこで、従来、光ファイバと他の光ファイバとを接続したり、パソコン等の電子機器とを接続するために光ファイバの端末に取付けられるコネクタにシャッタ機構を設け、伝達される光が直接外部に漏洩しない構造としたコネクタが考えられ特許出願されている。
特許文献１に記載の発明もその１つであり、受光プラグ挿抜によりシャッタの開閉が自動的に行われるシャッタ付光コネクタに関するものである。特許文献１には、放射側光ジャックと受光側プラグとがハウジングの挿入孔内で当接し光結合するコネクタにおいて、挿入孔の始端部に設けられた磁性体が固着されたガイドに、受光側光プラグに押されて始端部と終端部との間で水平方向に摺動可能にされた磁石と、始端部がガイド溝の終端部に連通し、ガイド溝と直行する垂直ガイド溝があり、当該ガイド溝にはシャッタ付磁石が上下方向に摺動可能に設けられているものである。受光側光プラグ挿入されていない場合には、磁石は始端側の磁性体側にあり、シャッタ付磁石は自重により、垂直に配設されたガイド始端側に位置し、シャッタにより、挿入孔は遮断されている。受光側光プラグを挿入すると、該受光側光プラグに押されて磁石が終端側に移動し、それに追従して磁力の反力によりシャッタ付磁石は垂直ガイド溝にそって、垂直ガイド溝の終端部に移動し、挿入孔は開通する。受光側光プラグを抜くと、該プラグに設けられた磁性体によって、磁石がガイド溝始端側まで引っ張られ、シャッタ付磁石が再び垂直ガイド溝の始端部に移動し、挿入穴を遮断し、これにより、使用者が受光側光プラグを挿抜すると、ハウジングに設けられたシャッタが自動的に開閉するシャッタ付光コネクタが開示されている。
また、特許文献２に記載の発明は、光レセプタクルを取付けるマウントと光センサを内蔵するホルダを簡易に着脱するロック機構と、光センサの受光を遮断するシャッタ機構を備える光コネクタ用アダプタである。特許文献２には、マウントとホルダが一対の爪と一対の螺旋状突起で結合され、シャッタは光レセプタクルとマウント間に移動可能に保持されており、シャッタを所定の方向に移動することにより、光ファイバの出射光を遮断または通過させ、プラグを外すことなくオフセットすることができる光コネクタ用アダプタが開示されている。
さらに、特許文献３に記載の発明は、光コネクタプラグを結合アダプタから引き抜いた状態において、光を外部に露出させない多心光コネクタに関するものである。特許文献３には、光コネクタプラグの先端部の外周部にプラグシャッタが取付けられ、プラグシャッタはコイルバネによって、非嵌合時はプラグシャッタが閉じられるように付勢されており、光軸を遮蔽している。光コネクタプラグを結合アダプタに挿入すると、プラグシャッタの上方に張り出した梁部が結合アダプタの挿入口外周部に押されることにより、プラグシャッタが開かれて光軸が開放される多心光コネクタが開示されている。
【０００５】
【特許文献１】
特開平５―０９３８２１号公報  （第２〜４頁、第１、第６，７図）
【特許文献２】
特開平８―２６２２７８号公報  （第２、３頁、第１、２図）
【特許文献３】
特開平１０―３００９８５号公報  （第２〜４頁、第１、２図）
【０００６】
しかし、特許文献１に記載の発明は、シャッタがハウジング側にしか設けられていないので、ジャックを交換する等の理由で、ジャックを取り外した場合に、作業者が光を直視してしまう恐れがあり、十分な安全性が保障されているとは言い難い。また、磁力の作用を利用した、磁石の摺動移動による開閉機構としているため、磁石を取付けるためのスペースや摺動移動のためのスペース等が必要となり、構造が小型化するのが難しい等の問題がある。
また、特許文献２に記載の発明も同様に、プラグ付き光ファイバにシャッタ機構が設けられていないので、光レセプタクルからプラグを取り外した場合に、作業者が光を直視してしまう危険性があり、十分な安全性が保障されていないという問題がある。
最後に、特許文献３に記載の発明では、機構が簡単で構造を小型にできるが、光を遮蔽するシャッタが光コネクタプラグ側にしか設けられておらず、光コネクタプラグを結合アダプタに挿入した場合に、プラグシャッタは開かれた状態となり、例えば、使用者が結合アダプタの他端側から覗いた場合に、光を直視してしまう危険性がある。また、プラグシャッタはコイルバネによって開閉可能に設けられているので、一般家庭で子供等が指でプラグシャッタを持ち上げて開くことができ、十分な安全性が保障されているとは言えない。
【０００７】
【発明が解決しようとする課題】
そこで、本発明は以上のような問題点を解決するものであり、光コネクタ用アダプタ及びプラグにそれぞれシャッタを儲け、相互に嵌合させることにより自動的に開閉するシャッタを備え、それぞれ単独ではシャッタが開閉しない機構とし、安全性と防塵性に優れたシャッタ付き光コネクタを提供することを目的とする。
【０００８】
【課題を解決するための手段】
上記課題を解決するために、請求項１に記載の発明は、押圧することにより回転し、それによって開口部の位置が移動して当該光コネクタプラグに内装された光ファイバの光軸を開閉するプラグ側シャッタを備えた光コネクタプラグと、プラグ側シャッタの回転動力を伝達する回転伝達手段によって回転することにより開口部の位置が移動して当該光コネクタアダプタに内装された光ファイバの光軸を開閉するアダプタ側シャッタを備えた光コネクタアダプタを備えて構成され、光コネクタプラグを光コネクタアダプタに嵌合するとプラグ側シャッタが光コネクタアダプタに当接することにより押圧されて回転し、その回転動力が回転伝達手段によりアダプタ側シャッタに伝達されることによってアダプタ側シャッタが回転し、それによりプラグ側シャッタ及びアダプタ側シャッタがそれぞれ開口するようにされたことを特徴とする。
【０００９】
上記課題を解決するために、請求項２に記載の発明は、請求項１に記載のシャッタ付き光コネクタにおいて、光コネクタプラグは、プラグ側シャッタを押圧するとプラグ側シャッタを案内して回転させるプラグ側シャッタ回転ガイド溝と、光コネクタプラグ単体ではプラグ側シャッタを閉口状態とする第一のシャッタ閉口手段とを備え、光コネクタアダプタは、アダプタ側シャッタを押圧するとアダプタ側シャッタを案内して回転させるアダプタ側シャッタ回転ガイド溝と、光コネクタアダプタ単体ではアダプタ側シャッタを閉口状態とする第二のシャッタ閉口手段とを備え、光コネクタプラグを光コネクタアダプタに嵌合させると、プラグ側シャッタ回転ガイド溝に沿ってプラグ側シャッタが回転すると共に、プラグ側シャッタの回転が回転伝達手段によりアダプタ側シャッタに伝達されるとアダプタ側シャッタがアダプタ側シャッタ回転ガイド溝に沿って回転することによって、プラグ側シャッタ及びアダプタ側シャッタが開口され、光コネクタプラグを光コネクタアダプタから抜脱すると、第一のシャッタ閉口手段によりプラグ側シャッタが閉口状態とされると共に、第二のシャッタ閉口手段によりアダプタ側シャッタが閉口状態とされたことを特徴とする。
【００１０】
上記課題を解決するために、請求項３に記載の発明は、請求項２に記載のシャッタ付き光コネクタにおいて、プラグ側シャッタ回転ガイド溝は、プラグ本体の外周面に、その円周方向に沿って所定の角度を有して斜めに穿設された傾斜溝部と挿抜方向に沿って直線状に穿設された直線溝部を備えて形成され、プラグ側シャッタを押圧することによりプラグ側シャッタに設けられたプラグガイド凸部がプラグ側シャッタ回転ガイド溝内に係合した状態で傾斜溝部を移動してプラグ側シャッタが回転し、プラグガイド凸部が直線溝部内に進入するとプラグ側シャッタが後退して光コネクタプラグ内に内装された光ファイバを保持するフェルールが突出するように構成されていることを特徴とする。
【００１１】
上記課題を解決するために、請求項４に記載の発明は、請求項２に記載のシャッタ付き光コネクタにおいて、アダプタ側シャッタ回転ガイド溝は、アダプタ本体の外周面の円周方向に沿って穿設された第一の溝部と挿抜方向に沿って直線状に穿設された第二の溝部を備えて形成され、プラグ側シャッタが回転すると前記回転伝達手段によりそれに連動して当該アダプタ側シャッタに設けられた突起部がアダプタ側シャッタ回転ガイド溝内に係合した状態で前記第一の溝部を移動してプラグ側シャッタが回転し、突起部が第二の溝部内に進入するとアダプタ側シャッタが後退して光コネクタアダプタ内に内設されたスリーブが突出するように構成されていることを特徴とする。
【００１２】
上記課題を解決するために、請求項５に記載の発明は、請求項２〜４のいずれか１項に記載のシャッタ付き光コネクタにおいて、第一のシャッタ閉口手段は、光コネクタプラグと光コネクタアダプタとが嵌合してプラグ側シャッタを開口状態とすると挿入方向に圧縮され、光コネクタプラグを光コネクタアダプタから抜脱すると、圧縮による圧縮反力でプラグ側シャッタを閉口状態とする弾性部材を備えて構成されていることを特徴とする。
【００１３】
上記課題を解決するために、請求項６に記載の発明は、請求項２〜４のいずれか１項に記載のシャッタ付き光コネクタにおいて、第二のシャッタ閉口手段は、光コネクタプラグと光コネクタアダプタとが嵌合してアダプタ側シャッタを開口状態とすると円周方向及び挿入方向に圧縮され、光コネクタプラグを光コネクタアダプタから抜脱すると、圧縮による圧縮反力でアダプタ側シャッタを閉口状態とする弾性部材を備えて構成されていることを特徴とする。
【発明の実施の形態】
以下、本発明に係るシャッタ付き光コネクタを図面に基づいて詳細に説明する。
図１は本願発明に係る光コネクタプラグと光コネクタアダプタの嵌合状態を表す断面側面図である。
まず、本発明に係るシャッタ付き光コネクタ１は、図１に示すように光コネクタプラグ１００と、光コネクタアダプタ２００とを備えて構成されている。
【００１４】
光コネクタプラグ１００は、図２に示すように、プラグ本体１１０と、プラグ本体１１０の先端側に配設され、当該プラグ本体１１０に対して挿抜方向に移動すると共に回転して開口するように設けられているプラグ側シャッタ１２０と、光コネクタプラグ１００を光コネクタアダプタ２００から抜脱したときに、開口した前記プラグ側シャッタ１２０を元の位置まで回転して戻し、閉口するように設けられている第一のシャッタ閉口手段１４０と、プラグ本体１１０に内設され、プラグ本体１１０後端から導入された図示しない光ファイバを挿通するフェルール３００と、フェルール３００を押し上げるためのバネ３１０とを備えて構成されている。
【００１５】
プラグ本体１１０は、樹脂製又は金属製で断面略円形の部材である。図７に示すように、プラグ本体１１０の外周面には、プラグ側シャッタ１２０と可動可能に係合し、プラグ本体１１０の挿入移動に伴って、プラグ側シャッタ１２０を案内して回転させるプラグ側シャッタ回転ガイド溝１１２と、第一のシャッタ閉口手段１４０の一端側を収容するための第一のシャッタ閉口手段収容部１１４と、プラグ本体１１０に内装されるフェルール３００を押し上げるためのバネ３１０を収容するフェルール動作用バネ収容部１１６とが形成されている。
【００１６】
プラグ側シャッタ回転ガイド溝１１２は、プラグ本体１１０の外周面にその円周方向に穿設されて形成された傾斜溝部１１２ａと、直線溝部１１２ｂとから構成され、光コネクタプラグ１００と光コネクタアダプタ２００とを嵌合させると傾斜溝部１１２ａに沿ってプラグ側シャッタ１２０が略９０度回転しながら直線溝部１１２ｂの入り口まで移動した後、その直線溝部１１２ｂの奥まで移動する。
【００１７】
プラグ側シャッタ１２０は、樹脂製又は金属製で筒状の部材である。プラグ側シャッタ１２０の内側面にはプラグ本体１１０に設けられたプラグ側シャッタ回転ガイド溝１１２と可動可能に係合するプラグガイド凸部１２２と、第一のシャッタ閉口手段１４０の一端側を収容する第一のシャッタ閉口手段収容溝１２４と、アダプタ側シャッタ２２０と当接してアダプタ側シャッタ２２０との位置決めをすると共に、プラグ側シャッタ１２０の回転動力をアダプタ側シャッタ２２０に伝達する回転伝達手段１２６と、プラグ側シャッタ１２０が回転したときに、フェルール３００と同位置（図示しない光ファイバの光軸線上）に移動して開口するようにされたプラグ側開口部１２８と、が形成されている。
【００１８】
回転伝達手段１２６は、アダプタ側シャッタ２２０と係合して回転動力を伝達するためのキー突起１２６ａが形成されている。
【００１９】
図８に示すように、第一のシャッタ閉口手段１４０は、金属製のバネ部材であり、プラグ本体１１０に設けられた第一のシャッタ閉口手段収容部１１４に収容される第一の端部１４２と、プラグ側シャッタ１２０に設けられている第一のシャッタ閉口手段収容溝１２４に収容される第二の端部１４４とが設けられている。
【００２０】
ここで、図７及び図８に基づいて、プラグ側シャッタ１２０の開閉動作を簡単に説明する。
プラグ本体１１０の外周面に形成されたプラグ側シャッタ回転ガイド溝１１２と、プラグ側シャッタ１２０の内側面に形成されたプラグガイド凸部１２２とが可動可能に係合されており、プラグ本体１１０を挿入方向（図７に示すＡ方向）に押し込むと、プラグガイド凸部１２２はプラグ側シャッタ回転ガイド溝１１２の傾斜溝部１１２ａに沿って移動する（図７に示すＢ方向）と共にプラグ側シャッタ１２０は略９０度回転（図７に示すＣ方向）して、プラグ側シャッタ１２０に穿設されているプラグ側開口部１２８はプラグ本体１１０に内装されているフェルール３００と略同位置まで移動して開口する。さらに、プラグ本体１１０を図７に示すＡ方向に押し込むと、プラグガイド凸部１２２は直線溝部１１２ｂに沿って移動し（図７に示すＤ方向）、プラグ側シャッタ１２０に固定されている第一のシャッタ閉口手段１４０は圧縮される。したがって、この状態においては第一のシャッタ閉口手段１４０には圧縮による圧縮反力が作用している状態となる。
次に、プラグ本体１１０を抜去すると、第一のシャッタ閉口手段１４０の圧縮反力により、プラグ側シャッタ１２０を直線溝部１１２ｂに沿って、傾斜溝部１１２ａとの結合位置まで押し戻し、その後、さらに傾斜溝部１１２ａに沿って進み、プラグ側シャッタ１２０を図７に示すＣと逆方向に略９０度回転させて元の位置まで戻して閉口させる。
以上に説明した構造を有することにより、光コネクタプラグ１００が単独の状態では、第一のシャッタ閉口手段１４０によりプラグ側シャッタ１２０を閉口するように圧縮反力が発生しているのでプラグ側シャッタ１２０は開口しない。
【００２１】
図３及び図４に示すように、光コネクタアダプタ２００は、アダプタ本体２１０と、当該アダプタ本体２１０に対して回転すると共に挿入方向へ移動して開口するように設けられているアダプタ側シャッタ２２０と、光コネクタプラグ１００を光コネクタアダプタ２００から抜脱したときに、回転して開口した前記アダプタ側シャッタ２２０を元の位置まで戻して閉口するように設けられている第二のシャッタ閉口手段２４０と、光コネクタプラグ１００と光コネクタアダプタ２００が嵌合したときに、プラグ本体１１０に内装されたフェルール３００を保持するためのアダプタ側スリーブ２６０と、割りスリーブ２８０とを備えて構成されている。
【００２２】
アダプタ本体２１０は、樹脂製又は金属製の断面略円形で筒状の部材である。図３に示すように、アダプタ本体２１０の外表面には、アダプタ側シャッタ２２０と可動可能に係合し、プラグ側シャッタ１２０が回転移動したときにその動きと連動してアダプタ側シャッタ２２０を回転させるための、アダプタ側シャッタ回転ガイド溝２１２と、プラグ側シャッタ１２０を挿入するための挿入孔２１４と、第二のシャッタ閉口手段２４０を収容するための、第二のシャッタ閉口手段収容溝２１８とが形成されている。
【００２３】
アダプタ側シャッタ２２０は、樹脂製又は金属製で断面略円形の板状部材である。アダプタ側シャッタ２２０は、アダプタ本体２１０に形成されたアダプタ側シャッタ回転ガイド溝２１２と可動可能に係合するアダプタガイド凸部２２２と、プラグ側シャッタ１２０の回転伝達手段１２６と係合してプラグ側シャッタ１２０との位置決めをすると共に、プラグ側シャッタ１２０の回転動力をアダプタ側シャッタ２２０に伝達する動力受け手段２２６と、アダプタ側シャッタ２２０が回転したときに、スリーブ２６０と略同位置まで移動して図示しない光ファイバの光軸を開口するようにされたアダプタ側開口部２２８とが形成されている。
【００２４】
動力受け手段２２６には、プラグ側シャッタの回転伝達手段１２６に形成されたキー突起１２６ａと係合すると共にプラグ側シャッタ１２０の回転動力を受けるキー孔２２６ａが形成されている。
【００２５】
アダプタ側シャッタ回転ガイド溝２１２は第一の溝部２１２ａと、第二の溝部２１２ｂとから構成され、アダプタ側シャッタ２２０はプラグ側シャッタ１２０の回転動力が伝達されて回転すると共に第一の溝部２１２ａに沿って略９０度回転移動（図３に示すＣ方向に移動）し、そして第二の溝部２１２ｂに沿って奥まで直線移動（図３に示すＨ方向に移動）する。
【００２６】
図１、４〜６及び９に示すように、第二のシャッタ閉口手段２４０は金属製のバネ部材であり、一端側はアダプタ本体２１０に形成されている第二のシャッタ閉口手段収容溝２１８に固定される第一固定端２４２と、他端側はアダプタ側シャッタ２２０に固定される第二固定端２４４とから構成されている。
【００２７】
次に図３、図４に基づいて、アダプタ側シャッタ２２０の開閉動作を間単に説明する。
光コネクタアダプタ２００に設けられているアダプタ側シャッタ２２０を図３に示すＣ方向に回転させると共に同図に示すＨ方向に押圧すると、はじめにアダプタ側シャッタ２２０に設けられているアダプタガイド凸部２２２がアダプタ本体の外周面に設けられた第一の溝部２１２ａに沿って図３に示すＦ方向に移動する。次に、アダプタ側シャッタ２２０が略９０度回転して、アダプタ側シャッタ２２０に設けられている開口部２２８がアダプタ本体２１０に内設されているアダプタ側スリーブ２６０と略同位置まで移動すると、アダプタ側シャッタ２２０がそれ以上回転するのは阻止されると共に図３に示すＨ方向へ移動すること可能となる。アダプタ側シャッタ２２０をさらに押圧するとアダプタガイド凸部２２２は第二の溝部２１２ｂに沿って図３に示すＨ方向に移動する。アダプタガイド凸部２２２が第二の溝部２１２ｂの端部まで移動すると、アダプタ側スリーブ２６０は、アダプタ側シャッタ２２０よりも前に突き出た状態となりアダプタ側シャッタ２２０は開口した状態となる。このとき、このアダプタ側シャッタ２２０の回転及びスライド移動によって、第二のシャッタ閉口手段２４０は円周方向及びそれが縮む方向に圧縮され、それぞれの方向に圧縮による圧縮反力を有する状態となる。
次に、アダプタ側シャッタ２２０に加えられている押圧力を取り除くと、第二のシャッタ閉口手段２４０の圧縮反力により、アダプタ側シャッタ２２０は第二の溝部２１２ｂと第一の溝部２１２ａの結合部まで図３に示すＨと逆方向に押し戻され、さらに第一の溝部２１２ａに沿って図３に示すＣと反対方向へアダプタ側シャッタ２２０を略９０度回転して元の位置まで戻ってアダプタ側シャッタ２２０は閉口する。
以上に説明した構造を有することにより、光コネクタアダプタ２００が単独の状態では、第二のシャッタ閉口手段２４０によりアダプタ側シャッタ２２０を閉口するように圧縮反力が作用しているのでアダプタ側シャッタ２２０は開口しない。
【００２８】
次に、本発明に係る光コネクタプラグ１００と光コネクタアダプタ２００との挿入から抜去までの手順を図１、図５〜９に基づいて説明する。
図５は光コネクタプラグ１００を光コネクタアダプタ２００へ挿入する前の状態を表す図である。まず、光コネクタプラグ１００を光コネクタアダプタ２００へ挿入（図５に示すＡ方向）すると、プラグ側シャッタ１２０がアダプタ本体２１０の挿入孔２１４内に挿入される。そして、プラグ側シャッタ１２０に設けられている回転伝達手段１２６がアダプタ側シャッタ２２０に設けられている動力受け手段２２６と当接して係合して位置決めがされる。さらにプラグ本体１１０を図５に示すＡ方向に押し込むと、プラグ側シャッタ１２０に内設されたプラグガイド凸部１２２がプラグ本体１１０の外周面に設けられたプラグ側シャッタ回転ガイド溝１１２に沿って図７に示すＢ方向に移動すると共にプラグ側シャッタ１２０は同図に示すＣ方向に回転する。
そして、プラグ側シャッタ１２０の回転に伴う回転動力は回転伝達手段１２６と動力受け手段２２６とを介してアダプタ側シャッタ２２０に伝達される。アダプタ側シャッタ２２０に設けられたアダプタガイド凸部２２２がアダプタ本体２１０に形成されたアダプタ側シャッタ回転ガイド溝２１２に沿って図３に示すＣ方向に回転しながら移動する。プラグ本体１１０をさらに押圧すると、プラグ本体１１０に形成されたプラグガイド凸部１２２がプラグ側シャッタ回転ガイド溝１１２の傾斜溝部１１２ａの終端まで移動してプラグ側シャッタ１２０はそれ以上は回転しない。続いて、さらにプラグ本体１１０を挿入方向（図７に示すＡ方向）に押し込むと、プラグガイド凸部１２２はプラグ側シャッタ回転ガイド溝１１２の直線溝部１１２ｂに沿って図７に示すＤ方向に移動すると共にプラグ側シャッタ１２０が開口し、図１に示すように、プラグ本体１１０に内装されたフェルール３００はプラグ側シャッタ１２０の先端よりも前に突き出た状態となる。このとき、プラグ側シャッタ１２０の回転と連動して回転するアダプタ側シャッタ２２０に形成されたアダプタガイド凸部２２２はアダプタ本体２１０に形成されたアダプタ側シャッタ回転ガイド溝２１２の第一の溝部２１２ａに沿って略９０度回転しながら図３に示すＦ方向に移動し、プラグ本体１１０をさらに挿入方向（図７に示すＡ方向）に押し込むとアダプタ側シャッタ回転ガイド溝２１２の第二の溝部２１２ｂに沿ってスライドして図３に示すＨ方向に押し込まれる。このときアダプタ本体２１０に設けられたアダプタ側スリーブ２６０は、アダプタ側シャッタ２２０の先端部分よりも前に突き出た状態となり、プラグ本体１１０に内装されたフェルール３００はアダプタ本体に設けられたアダプタ側スリーブ２６０の中に挿入される。この状態では、第一のシャッタ閉口手段１４０は、抜去方向に圧縮による圧縮反力を有し、また、第二のシャッタ閉口手段２４０は同様に回転方向と抜去方向にそれぞれ圧縮による圧縮反力を有している状態となる。
【００２９】
次に、光コネクタプラグ１００を光コネクタアダプタ２００から抜脱するときは、つまりプラグ本体１１０を図１に示すＪ方向に引き抜くと、光コネクタプラグ１００に内設され、前記圧縮反力を有している第一のシャッタ閉口手段構１４０は圧縮反力により軸方向に伸びる。そのとき、プラグ側シャッタ１２０に形成されたプラグガイド凸部１２２はプラグ側シャッタ回転ガイド溝１１２の直線溝部１１２ｂに沿って図７に示すＤと逆方向にスライドし、そして傾斜溝部１１２ａに沿ってプラグ側シャッタ１２０を同図に示すＢと逆方向に略９０度回転させながら移動し、プラグ側シャッタ１２０は閉口する。
アダプタ側シャッタ２２０はプラグ側シャッタ１２０と連動して動作し、回転方向と抜去方向に押し縮められていた第二のシャッタ閉口手段２４０はその圧縮反力により軸方向に伸び、アダプタ側シャッタ２２０に形成されたアダプタガイド凸部２２２がアダプタ側シャッタ回転ガイド溝２１２の第二の溝部２１２ｂに沿って図３に示すＨと反対方向に移動し、続いて第一の溝部２１２ａに沿って、図３のＦと逆方向に回転してアダプタ側シャッタ２２０は閉口する。
上記の説明のように、光コネクタプラグ１００と光コネクタアダプタ２００とを挿入及び抜脱することにより、プラグ側シャッタ１２０とアダプタ側シャッタ２２０は開閉するので、光コネクタプラグの使用者は、図示しない光ファイバの光を直視する心配は無く、安全に取り扱うことができる。
【００３０】
【発明の効果】
以上、説明したように、本発明に係るシャッタ付光コネクタによれば、光コネクタプラグと光コネクタアダプタの双方にシャッタを設けると共に、それぞれを嵌合させたときに初めてそれぞれのシャッタの開口をすることができる構造としたため、無理にシャッタを明けようとしても開口しないため、安全性が高く、かつ防塵性に優れているという効果がある。
【００３１】
また、シャッタの開閉機構を光コネクタプラグと光コネクタアダプタの嵌合構造を利用した機構としたので、光コネクタが小型化できるという効果がある。
【００３２】
【図面の簡単な説明】
【図１】は本願発明に係る光コネクタプラグと光コネクタアダプタとの嵌合状態を表す一部断面の側面図である。
【図２】（ａ）は本願発明に係る光コネクタプラグの断面平面図であり、（ｂ）はその断面側面図であり、（ｃ）はその断面正面図である。
【図３】（ａ）は本願発明に係る光コネクタアダプタの正面図であり、（ｂ）はその側面図である。
【図４】（ａ）は本願発明に係る光コネクタアダプタの断面側面図であり、（ｂ）はその断面正面図である。
【図５】本願発明に係る光コネクタプラグと光コネクタアダプタとの挿入前の状態を表す一部断面の平面図である。
【図６】本願発明に係る光コネクタプラグと光コネクタアダプタとの初期の挿入状態を表す一部断面の平面図である。
【図７】本願発明に係る光コネクタプラグを表す概略斜視図である。
【図８】本願発明に係る第一のシャッタ閉口手段を表す概略斜視図である。
【図９】本願発明に係る第二のシャッタ閉口手段を表す概略斜視図である。
【符号の説明】
１  シャッタ付き光コネクタ
１００  光コネクタプラグ
１１０  プラグ本体
１１２  プラグ側シャッタ回転ガイド溝
１１２ａ  傾斜溝部
１１２ｂ  直線溝部
１１４  第一のシャッタ閉口手段収容部
１１６  フェルール動作用バネ収容部
１２０  プラグ側シャッタ
１２２  プラグガイド凸部
１２４  第一のシャッタ閉口手段収容溝
１２６  回転伝達手段
１２６ａ  キー突起
１２８  プラグ側開口部
１４０  第一のシャッタ閉口手段
１４２  第一の端部
１４４  第二の端部
２００  光コネクタアダプタ
２１０  アダプタ本体
２１２  アダプタ側シャッタ回転ガイド溝
２１２ａ  第一の溝部
２１２ｂ  第二の溝部
２１４  挿入孔
２１８  第二のシャッタ閉口手段収容部
２２０  アダプタ側シャッタ
２２２  アダプタガイド凸部
２２６  動力受け手段
２２６ａ  キー孔
２２８  プラグ側開口部
２４０  第二のシャッタ閉口手段
２４２  第一固定端
２４４  第二固定端
２６０  アダプタ側スリーブ
２８０  割スリーブ
３００  フェルール
３１０  バネ
【図１】
2004318005.tif 000003
【図２】
2004318005.tif 000004
【図３】
2004318005.tif 000005
【図４】
2004318005.tif 000006
【図５】
2004318005.tif 000007
【図６】
2004318005.tif 000008
【図７】
2004318005.tif 000009
【図８】
2004318005.tif 000010
【図９】
2004318005.tif 000011